(57)【要約】【課題】表示の焼き付きの解消する実行時間を適切に決定できるようにする。【解決手段】プロジェクター１は、光変調装置１２を有し、光変調装置１２により投射画像を投射する投射部１０と、投射部１０が投射画像を表示している投射時間を計時する計時部３０３と、光変調装置１２の焼き付きを解消する解消機能を実行する解消実行時間を、投射時間から決定する決定部３０４と、解消機能を実行する処理部３０２と、を備える。【選択図】図１
2019219582.tif 000002
【特許請求の範囲】
【請求項１】
電気光学装置を有し、前記電気光学装置により画像を表示する表示部と、
前記表示部が前記画像を表示している第１の時間を計時する計時部と、
前記電気光学装置の焼き付きを解消する解消機能を実行する第２の時間を、前記第１の時間から決定する決定部と、
前記解消機能を実行する処理部と、を備える、
表示装置。
【請求項２】
前記第１の時間を示す第１の時間情報と、前記第２の時間を示す第２の時間情報とが対応付けられた対応情報を記憶する記憶部を、備え、
前記決定部は、前記対応情報に基づいて前記第２の時間を決定する、
請求項１に記載の表示装置。
【請求項３】
ユーザーの操作を受け付ける操作部を備え、
前記表示部は、前記決定部が決定した前記第２の時間を示す第２の時間情報を含む前記画像を表示し、
前記処理部は、前記操作部が前記解消機能の実行を示す操作を受け付けた場合に、前記決定部が決定した前記第２の時間で前記解消機能を実行する、
請求項１又は２に記載の表示装置。
【請求項４】
ユーザーの操作を受け付ける操作部を備え、
前記表示部は、前記決定部が決定した前記第２の時間を示す第３の時間情報と、予め定められた前記第２の時間を示す第４の時間情報とを含む選択画像を表示し、
前記操作部は、前記表示部が前記選択画像を表示した状態で、前記第３の時間情報と前記第４の時間情報のいずれかを選択する前記操作である選択操作を受け付け、
前記処理部は、前記操作部が前記選択操作を受け付けた場合、選択された前記第３の時間情報または前記第４の時間情報が示す前記第２の時間で前記解消機能を実行する、
請求項１又は２に記載の表示装置。
【請求項５】
前記画像は、第１の画像と、前記第１の画像に重畳する第２の画像とを含み、
前記第１の時間は、前記第２の画像を表示している時間である、
請求項１から４のいずれか一項に記載の表示装置。
【請求項６】
電気光学装置を有し、前記電気光学装置により画像を表示する表示部を備える表示装置の制御方法であって、
前記表示部が前記画像を表示している第１の時間を計時し、
前記電気光学装置の焼き付きを解消する解消機能を実行する第２の時間を、前記第１の時間から決定し、
前記解消機能を実行する、
表示装置の制御方法。
【発明の詳細な説明】
【技術分野】
【０００１】
本発明は、表示装置、及び、表示装置の制御方法に関する。
【背景技術】
【０００２】
従来、画像を表示する装置に生じる焼き付きを解消する技術が知られている（例えば、特許文献１参照）。特許文献１は、液晶モニターが表示する画像に所定期間変化がない場合、それまで表示していた画像の階調値を反転させた画像を表示することで、液晶モニターの焼き付きを解消する装置を開示する。
【先行技術文献】
【特許文献】
【０００３】
【特許文献１】特開２００４−３２５８５３号公報
【発明の概要】
【発明が解決しようとする課題】
【０００４】
ところで、焼き付きの解消機能を実行する時間は必要十分であることが望ましく、不必要に長く解消機能を実行することも、実行時間の不足により焼き付きが十分に解消しないことも、好ましくない。
本発明は、表示の焼き付きを解消する機能の実行時間を適切に決定することを目的とする。
【課題を解決するための手段】
【０００５】
上記目的を達成するために、本発明の表示装置は、電気光学装置を有し、前記電気光学装置により画像を表示する表示部と、前記表示部が前記画像を表示している第１の時間を計時する計時部と、前記電気光学装置の焼き付きを解消する解消機能を実行する第２の時間を、前記第１の時間から決定する決定部と、前記解消機能を実行する処理部と、を備える。
【０００６】
また、本発明は、前記第１の時間を示す第１の時間情報と、前記第２の時間を示す第２の時間情報とが対応付いた対応情報を記憶する記憶部を、備え、前記決定部は、前記対応情報に基づいて前記第２の時間を決定する構成でもよい。
【０００７】
また、本発明は、ユーザーの操作を受け付ける操作部を備え、前記表示部は、前記決定部が決定した前記第２の時間を示す第２の時間情報を含む前記画像を表示し、前記処理部は、前記操作部が前記解消機能の実行を示す操作を受け付けた場合に、前記決定部が決定した前記第２の時間で前記解消機能を実行する構成でもよい。
【０００８】
また、本発明は、ユーザーの操作を受け付ける操作部を備え、前記表示部は、前記決定部が決定した前記第２の時間を示す第３の時間情報と、予め定められた前記第２の時間を示す第４の時間情報とを含む選択画像を表示し、前記操作部は、前記表示部が前記選択画像を表示した状態で、前記第３の時間情報と前記第４の時間情報のいずれかを選択する前記操作である選択操作を受け付け、前記処理部は、前記操作部が前記選択操作を受け付けた場合、選択された前記第３の時間情報または前記第４の時間情報が示す前記第２の時間で前記解消機能を実行する構成でもよい。
【０００９】
また、本発明は、前記画像は、第１の画像と、前記第１の画像に重畳する第２の画像とを含み、前記第１の時間は、前記第２の画像を表示している時間であってもよい。
【００１０】
また、上記目的を達成するために、本発明は、電気光学装置を有し、前記電気光学装置により画像を表示する表示部を備える表示装置の制御方法であって、前記表示部が前記画像を表示している第１の時間を計時し、前記電気光学装置の焼き付きを解消する解消機能を実行する第２の時間を、前記第１の時間から決定し、前記解消機能を実行する。
【図面の簡単な説明】
【００１１】
【図１】プロジェクターの構成を示すブロック図。
【図２】プロジェクターの動作を示すフローチャート。
【図３】プロジェクターの動作を示すフローチャート。
【図４】対応テーブルの一例を示す図。
【図５】第１の変形例におけるプロジェクターの動作を示すフローチャート。
【図６】第２の変形例におけるプロジェクターの動作を示すフローチャート。
【発明を実施するための形態】
【００１２】
図１は、本発明の表示装置の一態様であるプロジェクター１の構成を示すブロック図である。
プロジェクター１には、外部装置として画像供給装置２が接続される。画像供給装置２は、プロジェクター１に画像データを出力する。プロジェクター１は、画像供給装置２から入力される画像データに基づき、投射面としてのスクリーンＳＣに投射画像を投射する。プロジェクター１による投射画像の投射は、表示装置による画像の表示の一例である。
【００１３】
画像供給装置２から入力される画像データは、所定規格に準拠した画像データである。この画像データは、静止画像データであっても動画像データであってもよく、音声データを伴ってもよい。
【００１４】
画像供給装置２は、プロジェクター１に画像データを出力する、いわゆる画像ソースである。画像供給装置２の具体的な構成は制限されず、プロジェクター１に接続可能であって、プロジェクター１に画像データを出力できる機器であればよい。例えば、ディスク型記録メディア再生装置、テレビチューナー装置、パーソナルコンピューターを用いてもよい。
【００１５】
スクリーンＳＣは、幕状のスクリーンであってもよいし、建造物の壁面や設置物の平面をスクリーンＳＣとして利用してもよい。スクリーンＳＣは平面に限らず、曲面や、凹凸を有する面であってもよい。
【００１６】
プロジェクター１は、プロジェクター１の各部を制御する制御部３と、投射画像を投射する投射部１０とを備える。投射部１０は、本発明の表示部に相当する。制御部３は、ＣＰＵ３０、及び、記憶部３１等により構成される。記憶部３１は、ＣＰＵ３０が実行する制御プログラム３１１やデータを不揮発的に記憶する記憶装置であり、フラッシュＲＯＭ等の半導体記憶素子等で構成される。記憶部３１は、ＣＰＵ３０のワークエリアを構成するＲＡＭを含んでもよい。
【００１７】
ＣＰＵ３０は、記憶部３１に記憶されたプロジェクター１の制御プログラム３１１を実行することによって、投射制御部３０１、処理部３０２、計時部３０３、及び、決定部３０４として機能する。これらの機能ブロックは、ＣＰＵ３０が、制御プログラム３１１を実行することにより、ソフトウェアとハードウェアの協働により実現される。
【００１８】
記憶部３１は、制御プログラム３１１のほか、設定データ３１２、対応テーブル３１３を記憶する。対応テーブル３１３は、本発明の対応情報に相当する。設定データ３１２は、プロジェクター１の動作に関する設定値を含む。設定データ３１２に含まれる設定値は、例えば、画像処理部２５が実行する処理内容、画像処理部２５の処理に用いるパラメーター等である。対応テーブル３１３については、後述する。記憶部３１は、その他のプログラムやデータを記憶してもよい。
【００１９】
投射部１０は、光源１１、光変調装置１２、及び、投射光学系１３を備える。光変調装置１２は、本発明の電気光学装置に相当する。
【００２０】
光源１１は、ハロゲンランプ、キセノンランプ、超高圧水銀ランプ等のランプ、或いは、ＬＥＤやレーザー光源等の固体光源で構成される。光源１１は、光源駆動部２１から供給される電力により点灯し、光変調装置１２に向けて光を発する。
【００２１】
光源駆動部２１は、制御部３の制御に従って光源１１に駆動電流やパルスを供給し、光源１１を発光させる。
【００２２】
光変調装置１２は、ＲＧＢの三原色に対応した３枚の液晶パネル１２１を備える。光源１１が発した光は、ダイクロイックミラーや、反射ミラー、リレーレンズ等によってＲＧＢの３色の色光に分離され、対応する色の液晶パネル１２１に入射される。各液晶パネル１２１は、一対の透明基板間に液晶が封入された構成を有する。各液晶パネル１２１は、複数の画素がマトリックス状に配列された矩形状の画素領域を有しており、液晶に対して画素毎に光変調装置駆動部２２によって駆動電圧が印加される。
【００２３】
光変調装置駆動部２２は、後述する画像処理部２５からＲ、Ｇ、Ｂの３原色に分離された画像データが入力される。光変調装置駆動部２２は、入力される各色の画像データを、対応する液晶パネル１２１の動作に適したデータ信号に変換する。光変調装置駆動部２２は、変換したデータ信号に対応した駆動電圧を液晶パネル１２１の各画素に印加して、各液晶パネル１２１にフレーム単位で画像を描画する。これにより、光源１１から射出される光が光変調装置１２により画像光に変調される。
【００２４】
投射光学系１３は、レンズやミラー等の光学素子を備え、光変調装置１２で変調された光をスクリーンＳＣ上に結像させ、投射画像を投射する。
【００２５】
プロジェクター１は、インターフェース２３、フレームメモリー２４、画像処理部２５、操作部５１、及び、無線通信部５２を備える。これらの各部は、バス２６を介して制御部３とデータ通信可能に接続される。
【００２６】
インターフェース２３は、データ通信用の有線インターフェースであり、所定の通信規格に準拠したコネクター及びインターフェース回路等を備える。図１では、コネクター及びインターフェース回路についての図示を省略している。インターフェース２３は、ケーブルを介して画像供給装置２に接続され、制御部３の制御に従って、外部の装置との間で画像データや制御データ等を送受信する。インターフェース２３には、各種の通信インターフェースや画像入力用のインターフェースを採用することができる。
【００２７】
フレームメモリー２４は、複数のバンクを備える。各バンクは、画像データの１フレームを書き込み可能な記憶容量を有する。フレームメモリー２４は、例えば、ＳＤＲＡＭにより構成される。なお、ＳＤＲＡＭは、Ｓｙｎｃｈｒｏｎｏｕｓ  Ｄｙｎａｍｉｃ  Ｒａｎｄｏｍ  Ａｃｃｅｓｓ  Ｍｅｍｏｒｙの略である。
【００２８】
画像処理部２５は、フレームメモリー２４に展開された画像データに対して、例えば、解像度変換処理又はリサイズ処理、歪曲収差の補正、形状補正処理、デジタルズーム処理、画像の色合いや輝度の調整等の画像処理を行う。画像処理部２５は、制御部３により指定された処理を実行し、必要に応じて、制御部３から入力されるパラメーターを使用して処理を行う。また、画像処理部２５は、上記のうち複数の画像処理を組み合わせて実行することも勿論可能である。
画像処理部２５は、処理の終了した画像データをフレームメモリー２４から読み出して光変調装置駆動部２２に出力する。
【００２９】
操作部５１は、操作パネル５１１、リモコン受光部５１２、及び入力処理部５１３を備える。
【００３０】
操作パネル５１１は、プロジェクター１の筐体に設けられ、ユーザーが操作可能な各種スイッチを備える。入力処理部５１３は、操作パネル５１１の各スイッチの操作を検出する。
リモコン受光部５１２は、リモコン５０が送信する赤外線信号を受光する。入力処理部５１３は、リモコン受光部５１２が受光した信号をデコードして、操作データを生成し、制御部３に出力する。
入力処理部５１３は、操作パネル５１１、及びリモコン受光部５１２に接続される。入力処理部５１３は、操作パネル５１１またはリモコン受光部５１２でユーザーの操作を受け付けた場合に、受け付けた操作に対応する操作データを生成して制御部３に出力する。
【００３１】
無線通信部５２は、図示せぬアンテナやＲＦ回路等を備え、制御部３の制御に従って外部装置との間で無線データ通信を実行する。無線通信部５２は、例えば、無線ＬＡＮ、Ｂｌｕｅｔｏｏｔｈ等の無線通信を実行する。Ｂｌｕｅｔｏｏｔｈは、登録商標である。
【００３２】
次に、ＣＰＵ３０の機能ブロックについて説明する。
投射制御部３０１は、光源駆動部２１、及び光変調装置駆動部２２を制御して、光源１１を点灯させ、光変調装置駆動部２２により光変調装置１２を駆動させ、投射部１０により投射画像を投射させる。また、投射制御部３０１は、画像処理部２５を制御して、インターフェース２３に入力される画像データに対する画像処理を実行させ、光変調装置駆動部２２に画像処理後の画像データを出力させる。
【００３３】
処理部３０２は、各液晶パネル１２１の焼き付きを解消する解消機能を実行する。液晶パネル１２１の焼き付きは、液晶内の液晶分子が部分的に偏在したり、液晶分子の移動によって液晶内のイオン不純物が部分的に偏在したりすることで生じる残像現象であり、液晶パネル１２１の画素ごとに生じる。液晶パネル１２１の焼き付きは、長時間同じ投射画像を投射した場合に生じ易く、投射時間が長ければ長いほど偏在度合が高まって顕著に生じる。液晶パネル１２１に焼き付きが生じると、焼き付きが生じている箇所では印加された駆動電圧に対応する変調とならず、投射画像には、焼き付きが生じている箇所に対応した箇所にむらが生じることとなる。処理部３０２は、解消機能を実行することで、投射制御部３０１に、全域が黒色の投射画像や、全域が白色の投射画像、スクリーンセイバーのような時間経過と共に変化する投射画像等を投射させる。これにより、処理部３０２は、液晶分子やイオン不純物の部分的な偏在を解消して、液晶パネル１２１の焼き付きを解消する。
なお、以後の説明では、液晶パネル１２１に発生する焼き付きを、光変調装置１２の焼き付きという。
【００３４】
計時部３０３は、例えばタイマーを備え、投射部１０が投射画像を投射している投射時間を計時する。投射時間は、本発明の第１の時間に相当し、表示時間と呼ぶこともできる。計時部３０３は、処理部３０２が解消機能を実行してから次に解消機能を実行するまでの期間において、投射時間を計時する。
計時部３０３が計時を行う間、計時された投射時間は、記憶部３１に記憶される。計時部３０３は、投射時間のカウントが増す毎に、記憶部３１に記憶させた投射時間を更新する。記憶部３１は、投射時間を不揮発的に記憶するので、プロジェクター１の電源がオンオフされても、計時された投射時間が維持される。つまり、記憶部３１が記憶する投射時間は、プロジェクター１の投射時間を積算した値であり、投射時間の累積値といえる。また、記憶部３１に記憶された投射時間は、制御部３の処理によりリセットされるまで積算される。処理部３０２が、上述した解消機能を実行すると、計時部３０３が計時した投射時間はリセットされる。計時部３０３は、投射時間を計時する間は、記憶部３１の揮発性の記憶領域に投射時間を一時的に記憶し、プロジェクター１が投射を終了したときに、投射時間を記憶部３１に不揮発的に記憶させてもよい。
【００３５】
決定部３０４は、計時部３０３が計時した投射時間から、処理部３０２が解消機能を実行する解消実行時間を決定する。解消実行時間は、本発明の第２の時間に相当する。解消実行時間の決定方法については、後述する。
【００３６】
次に、プロジェクター１の動作について説明する。
プロジェクター１は、動作モードとして、通常モードと焼き付き解消モードとを有する。通常モードは、焼き付き解消モードにおける動作以外の動作を実行する動作モードであって、例えば画像供給装置２から入力される画像データに基づいて投射画像を投射する動作モードである。焼き付き解消モードは、光変調装置１２の焼き付きを解消するための動作を実行する動作モードである。
【００３７】
プロジェクター１は、動作モードが通常モードである場合、図２に示す動作を実行する。
図２は、通常モードにおけるプロジェクター１の動作を示すフローチャートである。
【００３８】
制御部３の計時部３０３は、投射部１０が投射画像の投射を開始したことを検出すると（ステップＳＡ１）、計時部３０３による計時を開始させる（ステップＳＡ２）。ステップＳＡ２で、計時部３０３は、既に記憶部３１に記憶されている投射時間を取得し、この投射時間に積算するように計時を開始する。
【００３９】
計時部３０３は、投射時間の計時を行い、記憶部３１が記憶する投射時間を更新する（ステップＳＡ３）。ここで、制御部３は、投射部１０による投射が終了したか否かを判定し（ステップＳＡ４）、投射を終了しないと判定した場合（ステップＳＡ４：ＹＥＳ）、ステップＳＡ３で投射時間の計時および更新を継続する。また、制御部３は、投射部１０による投射が終了したと判定した場合（ステップＳＡ４：ＮＯ）、投射時間の計時を終了する（ステップＳＡ５）。
【００４０】
プロジェクター１は、動作モードが通常モードから焼き付き解消モードに移行すると、図３に示す動作を実行する。
図３は、焼き付き解消モードにおけるプロジェクター１の動作を示すフローチャートである。
【００４１】
プロジェクター１は、移行のトリガーが発生すると、動作モードを通常モードから焼き付き解消モードに移行させる（ステップＳＢ１）。移行のトリガーとしては、例えば、リモコン５０又は操作パネル５１１に対するユーザーの操作で移行指示を操作部５１が受け付けたことや、電源が投入されてから所定の期間が経過したこと等が例として挙げられる。
【００４２】
プロジェクター１の動作モードが通常モードから焼き付き解消モードに移行すると、制御部３の決定部３０４は、計時部３０３が計時した投射時間を、記憶部３１から取得する（ステップＳＢ２）。
【００４３】
次いで、決定部３０４は、計時部３０３が計時した投射時間から、解消実行時間を決定する（ステップＳＢ３）。
ここで、ステップＳＢ３の処理について詳述する。
決定部３０４は、ステップＳＢ３において、記憶部３１が記憶する対応テーブル３１３を参照して解消実行時間を決定する。
【００４４】
図４は、対応テーブル３１３の一例を示す図である。
図４に示すように、対応テーブル３１３が格納する１件のレコードには、フィールドＦ１とフィールドＦ２とが対応付けられる。
【００４５】
フィールドＦ１は、投射時間の範囲を示す情報を格納する。フィールドＦ１には、フィールドＦ１１とフィールドＦ１２とが対応付けられている。
フィールドＦ１１とフィールドＦ１２とは、投射時間を示す投射時間情報を格納し、レコードごとに、フィールドＦ１が示す投射時間の範囲を設定している。投射時間情報は、本発明の第１の時間情報に相当する。フィールドＦ１が示す投射時間の範囲は、フィールドＦ１１が示す投射時間以上フィールドＦ１２が示す投射時間未満の範囲である。例えば、レコードＲ１は、フィールドＦ１１に「０ｈ」を示す投射時間情報を格納し、フィールドＦ１２に「１２ｈ」を示す投射時間情報を格納している。なお、図４において、「ｈ」は、時間を示す単位である。したがって、レコードＲ１のフィールドＦ１が示す投射時間の範囲は、０ｈ以上１２ｈ未満の範囲である。
【００４６】
フィールドＦ２は、解消実行時間を示す解消実行時間情報を格納する。解消実行時間情報は、本発明の第２の時間情報に相当する。
【００４７】
前述した通り、光変調装置１２の焼き付きは、投射時間が長ければ長いほど液晶分子やイオン不純物の偏在具合が高まって顕著に生じる。そのため、対応テーブル３１３は、投射時間が長ければ長いほど解消実行時間が長くなるように、解消時間情報を格納する。対応テーブル３１３が格納する各情報は、事前のテストやシミュレーション等によって定められ、光変調装置１２の焼き付きを解消するために適した対応関係となるように対応テーブル３１３に格納される。
【００４８】
例えば、ステップＳＢ２において、決定部３０４が、計時部３０３から「１４ｈ」の投射時間を取得したとする。この場合、決定部３０４は、「１４ｈ」の投射時間を含む投射範囲を示すフィールドＦ１が対応付くレコードＲ２を、対応テーブル３１３が格納するレコードＲ１、Ｒ２、Ｒ３、Ｒ４から特定する。そして、特定したレコードＲ２のフィールドＦ２に格納される解消実行情報を取得し、決定部３０４は、解消実行時間を「３ｈ」と決定する。
【００４９】
このように、決定部３０４は、計時部３０３が計時した投射時間から解消実行時間を決定するため、ステップＳＢ４において処理部３０２が、不必要に長く解消機能を実行してしまったり十分な解消を得られず解消機能を終了してしまったりすることを抑制できる。したがって、決定部３０４は、投射時間に応じた適切な解消実行時間を決定できる。また、決定部３０４は、対応テーブル３１３に基づいて解消実行時間を決定することで、複雑な処理を行うことなく一意に解消実行時間を決定できる。
【００５０】
なお、ステップＳＢ３において、決定部３０４は、対応テーブル３１３を参照せずに、所定のアルゴリズムによってステップＳＢ２で取得した投射時間から解消実行時間を算出して決定してもよい。この場合、記憶部３１が対応テーブル３１３を記憶していなくても、決定部３０４は、投射時間に応じた適切な解消実行時間を決定できる。また、決定部３０４は、対応テーブル３１３と比較し、投射時間に応じて細かく解消実行時間を決定できる。
【００５１】
図３に戻り、決定部３０４が解消実行時間を決定すると、処理部３０２は、決定した解消実行時間で解消機能を実行する（ステップＳＢ４）。
【００５２】
次いで、処理部３０２が解消機能を実行すると、計時部３０３は、記憶部３１に記憶されている投射時間をリセットする（ステップＳＢ５）。これにより、焼き付き解消モードの移行前に計時されていた投射時間がクリアされ、計時部３０３が解消機能の実行の前後に跨がって投射時間を積算することがない。ステップＳＢ５の後、計時部３０３が投射時間の計時を開始する際には、投射時間「０」から計時される。そのため、決定部３０４は、不必要に長い解消実行時間を決定することなく、解消機能の実行間の投射時間に応じた適切な解消実行時間を決定できる。
【００５３】
次に、本実施形態の変形例を複数説明する。
［第１の変形例］
上述した実施形態では、決定部３０４が解消実行時間を決定すると、決定した解消実行時間で処理部３０２が解消機能を実行する構成を例示した。第１の変形例では、操作部５１が解消機能の実行を示す操作を受け付けた場合に、決定部３０４が決定した解消実行時間で処理部３０２が解消機能を実行する。
【００５４】
図５は、第１の変形例におけるプロジェクター１の動作を示すフローチャートである。図５のフローチャートにおいて、上記実施形態と共通する処理には同じステップ番号を付して説明を省略する。
【００５５】
ステップＳＢ３で決定部３０４が解消実行時間を決定した後、投射制御部３０１は、決定部３０４が決定した解消実行時間を示す解消実行時間情報を含む投射画像を投射部１０に投射させる（ステップＳＢ１１）。これにより、ユーザーは、光変調装置１２の焼き付きの解消に要する時間を認識できる。
処理部３０２は、操作部５１が解消機能の実行を指示する操作を受け付けたか否かを判別する（ステップＳＢ１２）。処理部３０２は、操作部５１が解消機能の実行を指示する操作を受け付けたと判別した場合（ステップＳＢ１２：ＹＥＳ）、ステップＳＢ４に移行して、決定部３０４が決定した解消実行時間で解消機能を実行する（ステップＳＢ４）。
【００５６】
一方、操作部５１が解消機能の実行を指示する操作を受け付けていないと判別した場合（ステップＳＢ１２：ＮＯ）、処理部３０２は、ステップＳＢ４、ＳＢ５を実行せず、本処理を終了する。ステップＳＢ１２で、処理部３０２は、予め設定された待機時間だけ操作の受付を待機し、待機時間内に解消機能の実行を指示する操作を受け付けない場合に、否定判定してもよい。
この第１の変形例によれば、ユーザーの意図しないタイミングで解消機能が開始することがないため、ユーザーの利便性が向上する。例えば、ユーザーは、ステップＳＢ１１で表示された解消実行時間が、意図していた時間より長い場合に、解消機能を実行させずにプロジェクター１の投射を継続させ、或いは、プロジェクター１の電源をオフにすることができる。
【００５７】
なお、処理部３０２は、決定部３０４が決定した解消実行時間を示す解消実行時間情報を含む投射画像を投射部１０が投射してから所定期間経過した場合、或いは、操作部５１が解消機能を実行しないことを示す操作を受け付けた場合、解消機能を実行しない。この場合、プロジェクター１は、動作モードを焼き付き解消モードから通常モードに移行する。また、計時部３０３は、計時した投射時間をリセットしない。これにより、ユーザーの意図しないタイミングで動作モードが焼き付き解消モードに移行した場合でも、ユーザーは、プロジェクター１が解消機能を実行することなく動作モードを通常モードに移行させることができる。また、計時部３０３が投射時間をリセットしないため、次回の解消機能を実行する際に、決定部３０４は、適切な解消実行時間を決定できる。
【００５８】
［第２の変形例］
第１の変形例は、決定部３０４が解消実行時間を決定すると、決定部３０４が決定した解消実行時間を示す解消実行時間情報を含む投射画像を投射部１０に投射する構成であった。
第２の変形例は、決定部３０４が決定した解消実行時間を示す解消実行時間情報と、予め定められている解消実行時間を示す解消実行時間情報とを含む投射画像を投射部１０が投射する。
【００５９】
図６は、第２の変形例におけるプロジェクター１の動作を示すフローチャートである。図６のフローチャートにおいて、上記実施形態と共通する処理には同じステップ番号を付して説明を省略する。
【００６０】
ステップＳＢ３で、決定部３０４が解消実行時間を決定した後、投射制御部３０１は、決定部３０４が決定した解消実行時間を示す解消実行時間情報と、予め定められている解消実行時間を示す解消実行時間情報とを含む選択画像を投射部１０に投射させる（ステップＳＢ２１）。ステップＳＢ２１で投射される投射画像には、ステップＳＢ３で決定された解消実行時間、及び、予め設定された時間が、選択可能な候補として配置される。なお、決定部３０４が決定した解消実行時間を示す解消実行時間情報は、本発明の第３の時間情報に相当し、予め定められている解消実行時間を示す解消実行時間情報は、本発明の第４の時間情報に相当する。
【００６１】
例えば、ステップＳＢ３で決定部３０４が対応テーブル３１３に基づき解消実行時間を「３ｈ」と決定した場合、ステップＳＢ２１では、決定された「３ｈ」と、フィールドＦ２に格納されている他の「０ｈ」、「６ｈ」、「１２ｈ」とが配置された投射画像が投射される。この例では、予め定められた解消実行時間は、対応テーブル３１３に設定された他の解消実行時間である。
【００６２】
ステップＳＢ２１で解消実行時間情報を含む投射画像が投射部１０により表示された状態で、操作部５１は、投射画像に配置された複数の解消実行時間情報から１の解消実行時間情報を選択する操作を受け付ける（ステップＳＢ２２）。処理部３０２は、操作部５１が受け付けた選択操作によって選択された解消実行時間情報が示す解消実行時間を、実際に使用する実行時間として設定する（ステップＳＢ２３）。処理部３０２は、ステップＳＢ４に移行して、ステップＳＢ２３で設定された解消実行時間に従って解消機能を実行する（ステップＳＢ４）。これにより、ユーザーは、自動で決定された解消実行時間以外の解消実行時間を選択してプロジェクター１に解消機能を実行させることができる。
【００６３】
［第３の変形例］
上述した実施形態、第１の変形例、及び第２の変形例では、投射部１０が投射画像を投射している投射時間を計時部３０３が計時する場合を説明した。第３の変形例では、計時部３０３は、フィルター画像を投射している投射時間を計時する。フィルター画像とは、画像供給装置２から入力された画像データに基づく画像（以下、「元画像」という）に重畳する画像である。プロジェクター１は、元画像にフィルター画像を重畳して投射することにより、元画像に所定の視覚効果を付与できる。元画像は、本発明の第１の画像に相当する。また、フィルター画像は、本発明の第２の画像に相当する。
【００６４】
プロジェクター１は、同じ視覚効果を付与して種々の元画像を投射する場合がある。この場合、プロジェクター１は、同じフィルター画像を種々の元画像に重畳するため、元画像より長い時間、同じフィルター画像を投射する。そのため、液晶パネル１２１では、フィルター画像に対応する画素に同じ駆動電圧が長期間印加される。したがって、フィルター画像を含む場合、液晶パネル１２１では、フィルター画像が描画される領域に焼き付きが生じ易い。そこで、計時部３０３は、フィルター画像を投射している投射時間を計時する。これにより、決定部３０４は、フィルター画像の投射時間に応じて適切な解消実行時間を決定できる。そのため、処理部３０２は、フィルター画像を投射により液晶パネル１２１に焼き付きが生じた場合でも、適切な時間で焼き付きを解消できる。
【００６５】
以上、説明したように、プロジェクター１は、光変調装置１２を有し、光変調装置１２により投射画像を投射する投射部１０と、投射部１０が投射画像を投射している投射時間を計時する計時部３０３と、光変調装置１２の焼き付きを解消する解消機能を実行する解消実行時間を、投射時間から決定する決定部３０４と、解消機能を実行する処理部３０２と、を備える。
【００６６】
本発明の表示装置、及び、表示装置の制御方法を適用したプロジェクター１によれば、決定部３０４は、計時部３０３が計時した投射時間から解消実行時間を決定するため、投射時間に応じた適切な解消実行時間を決定できる。
【００６７】
また、プロジェクター１は、投射時間を示す投射時間情報と、解消実行時間を示す解消実行時間情報とが対応付いた対応テーブル３１３を記憶する記憶部３１を、備える。決定部３０４は、対応テーブル３１３に基づいて解消実行時間を決定する。
【００６８】
この構成によれば、決定部３０４は、対応テーブル３１３に基づいて解消実行時間を決定することで、複雑な処理を行うことなく一意に解消実行時間を決定できる。
【００６９】
また、プロジェクター１は、ユーザーの操作を受け付ける操作部５１を備える。投射部１０は、制御部３が決定した解消実行時間を示す解消実行時間情報を含む投射画像を投射する。処理部３０２は、操作部５１が解消機能の実行を示す操作を受け付けた場合に、決定部３０４が決定した解消実行時間で解消機能を実行する。
【００７０】
この構成によれば、ユーザーは、焼き付きの解消に要する時間を認識できる。また、ユーザーの意図しないタイミングで解消機能が開始することがないため、光変調装置１２の焼き付きの解消についてユーザーの利便性が向上する。
【００７１】
また、投射部１０は、決定部３０４が決定した解消実行時間を示す解消実行時間情報と、予め定められた解消実行時間を示す解消実行時間情報とを含む選択画像を投射する。操作部５１は、投射部１０が投射した選択画像から１の解消実行時間情報を選択する選択操作を受け付ける。処理部３０２は、操作部５１が選択操作を受け付けた場合、選択された解消実行時間情報が示す解消実行時間で解消機能を実行する。
【００７２】
この構成によれば、ユーザーは、自動で決定された解消実行時間以外の解消実行時間を選択してプロジェクター１に解消機能を実行させることができる。
【００７３】
また、投射画像は、元画像と、元画像に重畳するフィルター画像とを含む。計時部３０３が計時した投射時間は、フィルター画像を投射している時間である。
【００７４】
この構成によれば、決定部３０４は、フィルター画像の投射時間に応じた適切な解消実行時間を決定できる。そのため、処理部３０２は、フィルター画像を投射で液晶パネル１２１に焼き付きが生じた場合でも、適切な時間で焼き付きを解消できる。
【００７５】
上述した実施形態及び各変形例は、本発明の好適な実施の形態である。ただし、これに限定されるものではなく、本発明の要旨を逸脱しない範囲内において種々の変形実施が可能である。
【００７６】
例えば、上述したプロジェクター１の制御方法が、プロジェクター１が備えるコンピューター、又は、プロジェクター１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。プロジェクター１の制御方法は、本発明の表示装置の制御方法に相当する。
【００７７】
また、図２、及び図３に示すフローチャートの処理単位は、プロジェクター１の制御部３の処理を理解容易にするために、主な処理内容に応じて分割したものである。図２、及び図３のフローチャートに示す処理単位の分割の仕方や名称によって本発明が制限されることはない。また、制御部３の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００７８】
また、図１に示すプロジェクター１の各機能部とは、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００７９】
また、本発明の表示装置は、スクリーンＳＣに画像を投射するプロジェクターに限定されない。例えば、表示装置は、液晶表示パネルに画像を表示する液晶表示装置や、有機ＥＬパネルに画像を表示する表示装置など、自発光型の表示装置を含む。また、その他の各種の表示装置も本発明の表示装置に含まれる。
【符号の説明】
【００８０】
１…プロジェクター（表示装置）、２…画像供給装置、３…制御部、１０…投射部（表示部）、１１…光源、１２…光変調装置（電気光学装置）、１３…投射光学系、２１…光源駆動部、２２…光変調装置駆動部、２３…インターフェース、２４…フレームメモリー、２５…画像処理部、２６…バス、３０…ＣＰＵ、３１…記憶部、５０…リモコン、５１…操作部、５２…無線通信部、１２１…液晶パネル、３０１…投射制御部、３０２…処理部、３０３…計時部、３０４…決定部、３１１…制御プログラム、３１２…設定データ、３１３…対応テーブル（対応情報）、５１１…操作パネル、５１２…リモコン受光部、５１３…入力処理部、ＳＣ…スクリーン。
【図１】
2019219582.tif 000003
【図２】
2019219582.tif 000004
【図３】
2019219582.tif 000005
【図４】
2019219582.tif 000006
【図５】
2019219582.tif 000007
【図６】
2019219582.tif 000008